(57)【要約】      （修正有）【課題】撮像用レンズの位置が携帯型情報端末毎に異なる携帯型情報端末にも対応可能な携帯型情報端末用ケースを提供する。【解決手段】左右片部からなる二つ折り可能に形成されたケース本体３を備え、一片３１の正面には、中央部に矩形の凹部５１を有する枠体５と、凹部５１に嵌め込まれてなるスライド板７とを有する端末保持部１０が設けられてなり、凹部５１の左右内側面には、内面にノッチを有するガイド溝が形成され、スライド板７の左右外側面には、側外方へ延出してなるガイド板部が形成され、ガイド板部には、ノッチと対向する面から突出してなる突部と、突部の内側部分に形成された隙間部とからなるバネ構造が形成されてなる。【選択図】図１
0003205498.tif 000002
【実用新案登録請求の範囲】
【請求項１】
横方向に連接された左右片部からなると共に、前記左右片部の正面を見開いた状態から、前記正面が互いに向かい合う状態に二つ折り可能に形成されてなるケース本体を備え、
前記左右片部のうち一片の正面には、中央部に矩形の凹部を有する枠体と、前記凹部よりも縦方向長さが短く形成されてなると共に前記凹部に嵌め込まれてなるスライド板とを有する端末保持部が設けられてなり、
前記凹部の左右内側面には、内面にノッチを有するガイド溝が形成され、
前記スライド板の左右外側面には、側外方へ延出してなるガイド板部が形成され、
前記ガイド板部には、前記ノッチと対向する面から突出してなる突部と、前記突部の内側部分に形成された隙間部と、からなるバネ構造が形成されてなり、
前記スライド板は、前記ガイド板部が前記ガイド溝に挿し込まれた状態で正面に沿って縦方向に摺動可能であると共に、定位置において前記突部が前記ノッチに嵌め込まれることによって固定可能である
ことを特徴とする携帯型情報端末用ケース。
【請求項２】
前記ノッチは、前記ガイド溝の側方奥端面に形成され、
前記突部は、前記ガイド板部の側面から側外方へ突出してなる
ことを特徴とする請求項１に記載の携帯型情報端末用ケース。
【考案の詳細な説明】
【技術分野】
【０００１】
本考案は、スマートフォンや携帯電話等の携帯型情報端末を着脱可能に取り付けて保護する携帯型情報端末用ケースに関する。
【背景技術】
【０００２】
持ち運びが容易な携帯型情報端末は、使用者によって常に持ち運んで使用されるため、手から落下させる等により携帯型情報端末の外表面等を傷つけてしまう事態が常時発生し得る。そのため、携帯型情報端末に傷をつけるような外部からの衝撃を緩和する目的として、携帯型情報端末の外表面に隙間なく装着できる形状を有すると共に、携帯型情報端末毎に位置の異なる撮像用レンズに合わせたレンズ穴を備える携帯型情報端末用ケースが用いられている。
【考案の概要】
【考案が解決しようとする課題】
【０００３】
しかし近年、各社が新規の携帯型情報端末を市場に投入するサイクルが短くなっている。これに伴って使用者が一つの携帯型情報端末を所有する期間も短くなる傾向にあるため、携帯型情報端末を買い替える度毎に携帯型情報端末用ケースも買い替えなければならない煩わしさが生じていた。
【０００４】
そのため、買い替えた外形の異なる携帯型情報端末にも対応できる携帯型情報端末用ケースが求められていたが、撮像用レンズが携帯型情報端末毎に異なるために従来のようにレンズ穴を形成させることができず、このような携帯型情報端末用ケースではレンズ穴を通してカメラ機能を利用できないという問題があった。
【課題を解決するための手段】
【０００５】
そこで、上記課題を解決するための手段として本考案に係る携帯型情報端末用ケースは、横方向に連接された左右片部からなると共に、前記左右片部の正面を見開いた状態から、前記正面が互いに向かい合う状態に二つ折り可能に形成されてなるケース本体を備え、前記左右片部のうち一片の正面には、中央部に矩形の凹部を有する枠体と、前記凹部よりも縦方向長さが短く形成されてなると共に前記凹部に嵌め込まれてなるスライド板とを有する端末保持部が設けられてなり、前記凹部の左右内側面には、内面にノッチを有するガイド溝が形成され、前記スライド板の左右外側面には、側外方へ延出してなるガイド板部が形成され、前記ガイド板部には、前記ノッチと対向する面から突出してなる突部と、前記突部の内側部分に形成された隙間部と、からなるバネ構造が形成されてなり、前記スライド板は、前記ガイド板部が前記ガイド溝に挿し込まれた状態で正面に沿って縦方向に摺動可能であると共に、定位置において前記突部が前記ノッチに嵌め込まれることによって固定可能であることを特徴とする。
【０００６】
また本考案は、前記ノッチは、前記ガイド溝の側方奥端面に形成され、前記突部は、前記ガイド板部の側面から側外方へ突出してなることとしても良い。
【０００７】
このようにしてなる前記携帯型情報端末用ケースは、前記ケース本体の前記左右片部のうち一片の正面に前記端末保持部を設けてなり、前記枠体内を縦方向に摺動する前記スライド板の表面に設けられた粘着板に携帯型情報端末を貼り付けて収納し、前記左右片部を開くことにより携帯型情報端末を使用できる。例えば、カメラ機能を使用する場合は、前記スライド板を縦方向に移動させることにより、前記ケース本体の外縁部から撮像用レンズを露出させてカメラ機能を使用し、その後に、前記スライド板を元の定位置に戻して前記左右片部を閉じることにより、前記携帯型情報端末用ケースの持ち運びができるものである。
【０００８】
また、前記枠体内の前記凹部に設けた前記ガイド溝に前記スライド板の前記ガイド板部が嵌め込まれることにより、前記スライド板が安定して縦方向に摺動可能となる。また、前記凹部に前記スライド板に形成した前記突部と係合する前記ノッチを設けることにより、前記スライド板の定位置における一時固定が可能となる。
【０００９】
さらに、前記スライド板に形成された前記突部と、前記突部の内側部分に形成された前記隙間部とからなり一体に成形されてなる前記バネ構造により、シンプルな構造で構成できる。そのため、外付けのスプリング部品が不要な構造をしてなるので、摺動及び一時固定の耐久性の向上が図られると共に、製造コストの低減が可能となる。
【考案の効果】
【００１０】
本考案は、携帯型情報端末を前記ケース本体に保持した状態で縦方向に移動させることで、携帯型情報端末に設けられた撮像用レンズを前記ケース本体の前記外縁部から外側に露出させて使用することができるため、撮像用レンズの設置位置にかかわらず、携帯型情報端末を保護する前記携帯型情報端末用ケースとして使用することができる。
【００１１】
また、前記枠体に形成された前記凹部に前記スライド板が嵌め込まれてなることによって、前記スライド板が上下に摺動可能な機構を備えながら、前記端末保持部を薄型に形成することができる。
【００１２】
さらに、前記突部と前記ノッチが前記バネ構造を利用して係合することにより、前記スライド板の定位置における一時固定が簡単にできる。
【００１３】
また、前記凹部の前記ガイド溝に挿入された前記ガイド板部によって、前記スライド板を前記枠体から離脱させることなく安定に摺動させることができる。
【００１４】
また、前記バネ構造を前記スライド板と一体に成形して構造を単純化することができるため、前記スライド板の繰り返し動作に対して前記バネ構造の破損を抑制することができる。
【００１５】
また、前記バネ構造と前記スライド板との一体成型により構成する部品を少なくできるため、製造コストの低減を図ることができる。
【図面の簡単な説明】
【００１６】
【図１】本考案の携帯型情報端末用ケース１の正面図である。
【図２】携帯型情報端末用ケース１の端末保持部１０の動作説明図で、スライド板７が枠体５内の下側の定位置７７に一時固定されている状態の端末保持部１０の正面図である。
【図３】携帯型情報端末用ケース１の端末保持部１０の動作説明図で、スライド板７が枠体５内の上側の定位置７９に一時固定されている状態の端末保持部１０の正面図である。
【図４】図２の端末保持部１０のＡ−Ａ端面図である。
【図５】携帯型情報端末用ケース１の端末保持部１０から枠体カバー５０を取り除いた状態の正面図で、スライド板７が枠体５内の下側の定位置７７に一時固定されている状態の端末保持部１０の正面図である。
【図６】携帯型情報端末用ケース１の端末保持部１０から枠体カバー５０を取り除いた状態の正面図で、スライド板７が枠体５内の略中間位置にある状態の端末保持部１０の正面図である。
【図７】携帯型情報端末Ｐが携帯型情報端末用ケース１のスライド板７の粘着板９に貼付けられ、スライド板７が上側の定位置７９に一時固定されて、携帯型情報端末Ｐの撮像用レンズＬがケース本体３の外縁部３０から外側に露出させた状態にした携帯型情報端末用ケース１の背面図である。
【図８】スライド板７の正面図である。
【考案を実施するための形態】
【００１７】
以下、本考案に係る実施の形態を、図を参照しながら詳しく説明する。
【００１８】
本考案の携帯型情報端末用ケース１は、図１に示すように、横方向に連接された左右片部からなると共に、左右片部の正面を見開いた状態から、正面が互いに向かい合う状態に二つ折り可能に形成されてなるケース本体３を備え、左右片部のうち一片３１の正面には、中央部に矩形の凹部５１を有する枠体５と、凹部５１よりも縦方向長さが短く形成されてなると共に凹部５１に嵌め込まれてなるスライド板７とを有する端末保持部１０が設けられてなる。
【００１９】
凹部５１の左右内側面には、図２及び図３に示すように、内面にノッチ５３を有するガイド溝５５が形成され、スライド板７の左右外側面には、側外方へ延出してなるガイド板部７１が形成され、ガイド板部７１には、ノッチ５３と対向する面から突出してなる突部７３と、突部７３の内側部分に形成された隙間部７５とからなるバネ構造７０が形成されてなり、スライド板７は、ガイド板部７１がガイド溝５５に挿し込まれた状態で正面に沿って縦方向に摺動可能であると共に、定位置において突部７３がノッチ５３に嵌め込まれることによって一時固定が可能となる。
【００２０】
ケース本体３の左右片部のうち一片３１の正面の中央部に端末保持部１０を強力接着剤（図示せず）で貼り付けてなり、枠体５内を縦方向の上下に摺動するスライド板７の表面に貼り付けられた粘着板９に携帯型情報端末Ｐを貼り付けて使用される。
【００２１】
枠体５は、樹脂製からなる矩形形状で、且つ、周縁部５７と底面５９とで凹部５１を形成してなる。図４に示すように、枠体５の周縁部５７と枠体カバー５０とを超音波溶着、或いは、接着剤等で固着することによりガイド溝５５が形成され、ガイド溝５５の側方奥端面に浅いＵ字形のノッチ５３が形成されてなる。
【００２２】
図８に示すように、スライド板７のガイド板部７１の縦方向中央部の左右２カ所には、側面から側外方へ突出してなり、浅いＵ字形のノッチ５３に係合する緩やかな曲線を形成した突部７３と、突部７３の内側部分で、且つ、ガイド板部７１の縦方向の上下に延伸して形成された隙間部７５とからなる樹脂製の断面矩形の棒状をした高反発型のバネ構造７０が形成されてなる。
【００２３】
図５に示すように、スライド板７の左右外側面には、側外方へ延出してなるガイド板部７１が形成され、ガイド板部７１がガイド溝５５に挿し込まれた状態で正面に沿って縦方向の上下に摺動可能となる。さらに、ガイド板部７１の中央部の側面から側外方へ突出し、ノッチ５３に係合する突部７３と、突部７３の内側部分に形成された隙間部７５とからなるバネ構造７０により、図２及び図３に示すようなスライド板７の縦方向の上下の摺動及び定位置における一時固定が可能となる。
【００２４】
また、スライド板７は、樹脂製からなる矩形形状で、凹部５１よりも縦方向長さが短く形成されてなり、該表面には、図４に示すように、シリコーン系等の軟性の粘着シートからなる粘着板９が全面に貼り付けられてなる。この粘着板９に携帯型情報端末Ｐの背面側を貼り付けて固定することができる。
【００２５】
ノッチ５３は、図３に示すように、スライド板７が凹部５１内の縦方向の上側の定位置７９にある場合に、スライド板７の中央部左右の突部７３に対向する位置に形成されてなる。さらに、図２に示すように、スライド板７が凹部５１内の縦方向の下側の定位置７７にある場合に、スライド板７の中央部左右の突部７３に対向する位置にノッチ５３が形成されることが好ましい。なお、ノッチ５３は、左右内側面の２カ所で、且つ、枠体５の縦方向の２カ所の併せて計４ヶ所に有してなる。
【００２６】
携帯型情報端末Ｐのカメラ機能を使用しない場合は、携帯型情報端末Ｐの撮像用レンズＬをケース本体３の外縁部３０から外側へ出すことが不要のため、スライド板７は凹部５１内の縦方向の下側の定位置７７に一時固定された状態となっている。一方、携帯型情報端末Ｐのカメラ機能を使用する場合は、スライド板７と共に携帯型情報端末Ｐを上方へスライドさせて、図３に示す上側の定位置７９に一時固定させることによって、携帯型情報端末Ｐの撮像用レンズＬをケース本体３の外縁部３０から外側へ出して、図７に示すように、カメラ機能を使用することができる。このように携帯型情報端末Ｐのカメラ機能の使用有無によって、スライド板７を摺動及び一時固定させることで携帯型情報端末Ｐのケース本体３からの出し入れが簡単にできる。
【００２７】
また、スライド板７を縦方向に摺動させて上下のいずれか一方の定位置に一時固定する際、バネ構造７０により突部７３がノッチ５３に係合する時に、スライド板７が凹部５１の上下いずれか一方の周縁部５７の内壁面に当たって『カチッ』という小さな当たり音と共に、スナップアクション的な動作感覚が感じられるので、手元を見ずにスライド板７の操作を行っても定位置で一時固定状態となっていることを確認することができる。さらに、突部７３がノッチ５３以外の位置にある場合は、図６に示すように、バネ構造７０により突部７３がガイド溝５５に圧接状態となっているので、スライド板７の摺動に対するブレーキとして作用するために、不要な摺動や突然の摺動がなく、スライド板７の縦方向の摺動がやり易くなる。
【００２８】
粘着板９は、スライド板７の表面全体に貼り付けられ、枠体カバー５０よりも少し突出した平面を形成してなるので、携帯型情報端末Ｐを貼り付けた際に、枠体カバー５０に接触することなくスムーズに摺動することができる。
【００２９】
このようにしてなる端末保持部１０は、スライド板７の摺動・固定の機構として、ノッチ５３と突部７３の係合を突部７３と隙間部７５とからなるバネ構造７０で構成してなるので、端末保持部１０を薄型に形成することができると共に、さらに、バネ構造７０がスプリング及び支持ピン等を使用せずに構成してなるので、シンプルで廉価な構造の携帯型情報端末用ケース１を提供できる。
【００３０】
さらに、ケース本体３の他片３３の内側には各種カード類を収納できる薄型のポケット３５を複数個設けても好ましい。
【００３１】
また、携帯型情報端末用ケース１の端末保持部１０の粘着板９に携帯型情報端末Ｐを貼り付けた後、ケース本体３の一片３１と他片３３とを閉じて収納する場合、ケース本体３を二つ折りにして、一片３１に連接されたバンド３７を他片３３の背面に回り込ませ、バンド３７の留め穴３７ｈにピン状のバンド留め具３９を挿入することにより、一片３１と他片３３とを閉じて携帯型情報端末用ケース１持ち運ぶことができる。
【００３２】
なお、バンド３７を留める方法はこれに限定されるものではなく、例えば、バンド３７にフェライト磁石等からなる硬磁性材料を埋設し、それと対向した位置となる他片３３に薄い鉄等からなる軟磁性材料を埋設することにより、一片３１と他片３３とを磁力により閉じることもできる。
【符号の説明】
【００３３】
１    携帯型情報端末用ケース
３    ケース本体
５    枠体
７    スライド板
９    粘着板
１０    端末保持部
３０    外縁部
３１    一片
３３    他片
３５    ポケット
３７    バンド
３７ｈ  留め穴
３９    バンド留め具
５０    枠体カバー
５１    凹部
５３    ノッチ
５５    ガイド溝
５７    周縁部
５９    底面
７０    バネ構造
７１    ガイド板部
７３    突部
７５    隙間部
７７    下側の定位置
７９    上側の定位置    
Ｐ    携帯型情報端末
Ｌ    撮像用レンズ
【図１】
0003205498.tif 000003
【図２】
0003205498.tif 000004
【図３】
0003205498.tif 000005
【図４】
0003205498.tif 000006
【図５】
0003205498.tif 000007
【図６】
0003205498.tif 000008
【図７】
0003205498.tif 000009
【図８】
0003205498.tif 000010